(57)【要約】      （修正有）【課題】従業員が個々に防災用品を保管管理、かつ新たに保管場所を用意する必要が無く、常時閲覧できる紙媒体の防災マニュアルを添付した防災用品の収納容器を提供する。【解決手段】机の下に入るサイズとして高さ３０ｃｍ〜８０ｃｍ  直径１５ｃｍ〜４０ｃｍの透過性を有する円筒状プラスチック容器５を用い、中には床用の敷物としてウレタン製の断熱シート８を円筒状にして組み込む。ウレタン製の断熱シート８を円筒状にして容器の中に入れる事で断熱シート自体が容器を補強する構造となり、プラスチックの厚さを薄くすることが可能になり、結果として総重量を軽減し、持ち運びを容易にする。透過性を有した円筒状の容器５と中に入れる筒状に丸めた発泡ウレタン製の断熱マットの間に避難経路や緊急連絡先、災害時の注意事項、災害マニュアルなどの災害時の避難に役立つ情報を記載した紙を貼った台紙７を挟み込んで透過性を有した円筒状プラスチック容器５から閲覧可能にする。【選択図】図４
0003215013.tif 000002
【実用新案登録請求の範囲】
【請求項１】
高さが３０ｃｍ〜８０ｃｍの範囲に設定されており、かつ直径が１５ｃｍ〜４０ｃｍの範囲に設定された、透過性を有した円筒状プラスチックの防災用品の収納容器であって、内部に発泡ウレタン製の断熱マットを円筒状に丸めて入れて収納し得る防災用品の収納容器
【請求項２】
災害時の避難に役立つ情報等を記載した紙を前記内部に収納して閲覧可能にした請求項１に記載の防災用品の収納容器
【考案の詳細な説明】
【技術分野】
【０００１】  本考案は、軽量で持ち運びに便利な机の下に収納可能な災害時の避難に役立つ情報を表示した防災用品の収納ケースに関するものである。
【背景技術】
【０００２】オフイスや工場等で使用する防災用品は保管場所が少なく、倉庫等で一括に管理されてきた為、災害時の利用の際に防災担当者が不在などの場合、利用が制限されるなどの事例が生じた。
【先行技術文献】
【特許文献】
【０００３】
【特許文献１】実用新案登録第３２０２９５０号
【特許文献２】実用新案登録第３１０９９４３号
【考案の概要】
【考案が解決しようとする課題】
【０００４】オフイスや工場等で使用する防災用品の担当者による一括保管は担当者の不在や配置換えによる伝達の不備等で万が一の災害時に防災用品が使えないなどの恐れがあり、また社内で整備した防災マニュアル等の保管場所が不明であったり、共有する電子マニュアルは停電時に利用できない等のリスクがあった。
従って、従業員が個々に防災用品を保管管理、かつ新たに保管場所を用意する必要が無く、常時閲覧できる紙媒体の防災マニュアルを添付した防災用品の収納ケースにより解決しようとする方法である。
【課題を解決するための手段】
【０００５】本考案は、オフイスや工場内でのデッドスペース、机の下を有効活用し防災用品を設置できるようにした防災用品の収納ケースである。
机の下に入るサイズとして高さ３０ｃｍ〜８０ｃｍ  直径１５ｃｍ〜４０ｃｍの透過性を有した円筒状プラスチック容器を用い、中には床用の敷物としてウレタン製の断熱シートを円筒状にして組み込む。
ウレタン製の断熱シートを円筒状にして容器の中に入れる事で断熱シート自体が容器を補強する構造となり、プラスチックの厚さを薄くすることが可能になり、結果として総重量を軽減し、持ち運びを容易にする。
プラスチックの厚さは０．１５ｍｍ以上あれば良い【０００６】透過性を有した円筒状の容器と中に入れる筒状に丸めた発泡ウレタン製の断熱マットの間に避難経路や緊急連絡先、災害時の注意事項、災害マニュアルなどの災害時の避難に役立つ情報を記載した紙を挟み込んで透過性を有した円筒状プラスチック容器から閲覧可能にする。【０００７】発泡ウレタン製の断熱マットは筒状であるため中心部に余白が生じる為、その部分は毛布や水など使用者の目的に従って自由に物を収納することが可能である。
【考案の効果】
【０００８】ウレタン製の断熱シートを円筒状にして容器の中に入れる事で断熱シート自体が容器を補強する構造となり、プラスチックの厚さを薄くすることが可能になり、結果として総重量を軽減し、持ち運びを容易にする。【０００９】机の下に入る円筒状にすることで普段使わない机下を有効に利用する事が可能で、保管場所に困る防災グッズの収納としては利用価値が高い。【００１０】透過性を有した筒状容器とウレタン製の断熱シートの間に挟んだ避難経路や緊急連絡先、災害時の注意事項、災害マニュアルなどの災害時の避難に役立つ情報を記した紙を透過性を有した容器に挟み込んで使うために、内容の変更が生じた際の更新は紙を入れ替えるだけで更新が可能であり、また透過性を有したプラスチックによって保護されるので長期の使用に耐えられる仕様となる。
【図面の簡単な説明】
【００１１】
【図１】本考察の防災用品の収納ケースの実施例を示す正面図である。
【図２】本防災用品の収納ケースを机下に収納した場合の実施例である。
【図３】収納するウレタン製の断熱シートと災害時の避難に役立つ情報を記載した紙の俯瞰図
【図４】収納ケースの組み立て方法と災害時の避難に役立つ情報を記載した紙とウレタン製の断熱シートと災害グッズの収納方法を記載した図
【図５】災害時の避難に役立つ情報を記載した紙の使用例を示す図
【考案を実施するための形態】
【００１２】透過性を有した円筒状の容器の底板は固定する。
容器の蓋は着脱式とする。
災害時の避難に役立つ情報を記載した紙を貼った台紙の縦横のサイズは容器の高さ、容器の円周のサイズとして筒状にして容器に入れる。
台紙にはコピー用紙サイズ分の点線を記しておき、予め作成した避難経路や緊急連絡先、災害時の注意事項、災害マニュアルなどの災害時の避難に役立つ情報を記載した紙を貼り付ける。
紙を筒の中に入れた後には容器より小さめに筒状に丸めて結束したウレタン製の断熱シートを入れてから結束を外し、収納ケースのサイズまで広げて災害時の避難に役立つ情報を記載した紙を貼った台紙を固定する。
収納ケースに収めた断熱シートは中心部に空間が生じるので、その空間に毛布や水、非常食などを入れて保管することができる。
全て納めれば蓋をして机の下に収納する。
【実施例】
【００１３】以下、添付図面に従って一実施例を説明する。
１は透過性を有したプラスチックの防災用品の収納ケース、ウレタン製の断熱シート２、災害時の避難に役立つ情報を記載した紙を貼った台紙３、容器の底板４を透過性の筒状容器５に固定する。
筒状に丸めた災害時の避難に役立つ情報を記載した紙を貼った台紙７を容器に入れてから筒状に丸めたウレタン製の断熱シート８を入れて結束を外し、収納ケースのサイズまで広げて災害時の避難に役立つ情報を記載した紙を貼った台紙３を固定する。
筒状に丸めたウレタン製の断熱シート８の内部に空間が生じるので水や毛布などの防災グッズ９を収納する。
最後に容器蓋６を閉じて完成、容器の蓋は着脱式とする。
図２のように机下に収納して保管する。【００１４】１０の災害時の避難に役立つ情報を記した紙はＡ４，Ａ３，Ｂ４，Ｂ５  いずれかのサイズとして手書き、またはプリンターで仕上げた物を紙の台紙１１に貼り付けて利用する。
災害時の避難に役立つ情報が改変された時には災害時の避難に役立つ情報を記載した紙１０を剥がす、または紙の台紙１１に重ね張りを行って更新する為、常に最新の情報が記された防災用品が利用可能である。
【産業上の利用可能性】
【００１５】本考案の防災用品の収納ケースはオフイスや工場などで新たに収納スペースを設けること無く、使われなかった机下を有効活用する為の防災用品の収納ケースである。【００１６】本考案の防災用品の収納ケースは内部に災害時の避難に役立つ情報を記載した紙を収納できるため、オフイスや工場の減災に役立つ
【符号の説明】１  容器本体
２  ウレタン製の断熱シート
３  災害時の避難に役立つ情報を記載した紙を貼った台紙
４  容器の底板
５  透過性の筒状容器
６  容器蓋
７  筒状に丸めた災害時の避難に役立つ情報を記載した紙を貼った台紙
８  筒状に丸めたウレタン製の断熱シート
９  水や毛布などの防災グッズ
１０  災害時の避難に役立つ情報を記載した紙
１１  紙の台紙
【図１】
0003215013.tif 000003
【図２】
0003215013.tif 000004
【図３】
0003215013.tif 000005
【図４】
0003215013.tif 000006
【図５】
0003215013.tif 000007